(57)【要約】【課題】矩形状のフィルムでサンドイッチを袋包装する。【解決する手段】全長に亘って分断可能部２を有するフィルム１に長方体状のサンドイッチ３を載せてからフィルム１を袋状に折り、フィルム１の縁部どうしを直接に重ね、或いは折り重ねて重なり部を、超音波溶着、高周波溶着、熱溶着、ラベル貼り等の接合手段５にて接合して包装袋１０を形成する。袋にサンドイッチを詰めるのではなく、矩形のフィルムでサンドイッチを包みながら袋を作るため、袋に密着させた状態でサンドイッチを包装できる。【選択図】  図３
2004323084.tif 000002
【特許請求の範囲】
【請求項１】
包装袋（１０）にサンドイッチ（３）を収容した包装サンドイッチにおいて、全長に亘って分断可能部（２）を有するフィルム（１）に長方体状のサンドイッチ（３）を載せてからフィルム（１）を袋状に折り、フィルム（１）の縁部どうしを直接に重ね、或いは折り重ねて重なり部を、超音波溶着、高周波溶着、熱溶着、ラベル貼り等の接合手段（５）にて接合した包装袋（１０）を形成している包装サンドイッチ。
【請求項２】
サンドイッチ（３）と包装袋（１０）の間に、少なくともサンドイッチ（３）の両側面及び背面に被さる保護カバー（４）が配備されている請求項１に記載の包装サンドイッチ。
【請求項３】
包装サンドイッチを立てた状態で、包装袋（１０）の分断可能部（２）は縦向きとなる請求項１又は２に記載の包装サンドイッチ。
【請求項４】
包装サンドイッチを立てた状態で、包装袋（１０）の分断可能部（２）は横向きとなる請求項１又は２に記載の包装サンドイッチ。
【請求項５】
全長に亘って分断可能部（２）を有するフィルム（１）に、直方体状のサンドイッチ（３）を載せてからフィルム（１）を袋状に折り、フィルム（１）の縁部どうしを直接に重ね、或いは折り重ねて重なり部を超音波溶着、高周波溶着、熱溶着、ラベル貼り等の接合手段（５）にて接合して一端が開口した包装袋（１０）を形成し、該包装袋（１０）の開口（１２）を超音波溶着、高周波溶着、熱溶着、ラベル貼り等の接合手段（５）によって閉じているサンドイッチの包装方法。
【発明の詳細な説明】
【０００１】
【産業上の利用分野】
本発明は、包装袋内にサンドイッチを収容した包装サンドイッチ及びその包装方法に関するものである。
【０００２】
【従来の技術及び発明が解決しようとする課題】
包装サンドイッチの包装は、袋を用いるものと、トレーを用いるものの２種類に大別される。
図９に示す如く、サンドイッチ（３ａ）が三角柱状である場合、予めサンドイッチの形状に対応して形成したフィルム製の包装袋（１０ａ）にサンドイッチを収容し、袋の開口部をサンドイッチの底部で折り重ね、ラベル（５０）を貼り付けて閉じている。
図１０に示す如く、サンドイッチ（３）が直方体である場合は、樹脂製の蓋付きトレイ（６）にサンドイッチ（３）を収容して、蓋（６１）を閉じている。
前者の場合、包装袋（１ａ）は、開口部が広く奥が狭まっている特殊な形状であり、包装袋のコストが高くなる。
後者の場合の樹脂製の蓋付きトレイもコスト高であり、且つ、トレイが嵩張って、後始末に困る。
本発明は、サンドイッチの包装において、上記問題を解決できる包装サンドイッチ及び包装方法を明らかにするものである。
【０００３】
【課題を解決する手段】
本発明の包装サンドイッチは、全長に亘って分断可能部（２）を有するフィルム（１）に長方体状のサンドイッチ（３）を載せてからフィルム（１）を袋状に折り、フィルム（１）の縁部どうしを直接に重ね、或いは折り重ねて重なり部を、超音波溶着、高周波溶着、熱溶着、ラベル貼り等の接合手段（５）にて接合して包装袋（１０）を形成している。
【０００４】
本発明のサンドイッチの包装方法は、全長に亘って分断可能部（２）を有するフィルム（１）に直方体のサンドイッチ（３）を載せてから、フィルム（１）を袋状に折り、フィルム（１）の長手方向の縁部どうしを直接に重ね、或いは折り重ねて重なり部を超音波溶着、高周波溶着、熱溶着、ラベル貼り等の接合手段（５）にて接合して一端が開口した包装袋（１０）を形成し、該包装袋（１０）の開口（１２）を超音波溶着、高周波溶着、熱溶着、ラベル貼り等の接合手段（５）によって閉じる。
【０００５】
【作用及び効果】
本発明の包装サンドイッチは、包装袋（１０）を作ってから該包装袋にサンドイッチ（３）を収容するのではない。フィルム（１）にサンドイッチ（３）を載せ、フィルム（１）でサンドイッチ（３）を包む様に包装袋（１０）を形成するのである。このため、サンドイッチ（３）は、袋内で動き得る余裕のない状態に包まれる。
【０００６】
サンドイッチ（３）が包装袋（１０）の中で殆ど動き得る余裕がないため、包装袋（１０）がサンドイッチ（３）の形状を保つ役割を果たし、包装袋（１０）内でサンドイッチ（３）が壊れることを防止できる。
又、包装袋（１０）がサンドイッチ（３）を殆ど動き得る余裕のない状態に包んでいるため、包装サンドイッチの嵩張りを最小限にでき、包装サンドイッチの陳列ケースの単位面積当たりの陳列数を増やすことができる。
【０００７】
又、包装袋（１０）の分断可能部（２）を、包装袋（１０）から帯状に分離して裂ける様にすれば、下記の手順で簡単に包装を解くことが出来る。
一方の手で、包装サンドイッチの分断可能部（２）を中心に片方を、軽く掴む様にして保持する。他方の手で分断可能部（２）先端の分断開始端（２ａ）を摘んで、フィルム（１）の長手方向に沿わせて分断可能部（２）の他端側に引っ張る。分断可能部（２）は、包装袋（１０）から帯状に分離する。
【０００８】
分断可能部（２）を裂いた手で、フリー状態の包装袋（１０）の片側を引っ張って、サンドイッチ（３）を部分的に露出させる。
包装袋を引っ張った手で、サンドイッチ（３）の露出部分を保持し、他方の手で包装袋（１０）の残りの部分を外側に引っ張る。
サンドイッチ（３）から包装袋（１０）が完全に取り除かれ、サンドイッチ（３）を食することができる。
【０００９】
【実施の形態】
第１実施例（図１乃至図５）
（サンドイッチ）
図２は、包装する前のサンドイッチの３方の面に保護カバー（４）被せた状態を示している。
サンドイッチ（３）は、長さ（Ｘ）約１０ｃｍ、幅（Ｙ）約７ｃｍ、厚み（Ｚ）約４．５ｃｍの略直方体である。
保護カバー（４）は、サンドイッチ（３）の背面及び長手方向の両側面の３面に被さる様、長さ１１ｃｍ、幅１０ｃｍの１枚のやや硬い紙シートの両端を、サンドイッチ（３）の厚みの幅で直角に屈曲して断面コ字状に形成されている。
【００１０】
（包装袋）
上記サンドイッチ（３）を収容する包装袋は、図１に示す矩形の透明フィルム（１）によって形成される。
フィルム（１）の大きさは、長さ（Ｌ）約３７ｃｍ、幅（Ｗ）約１５ｃｍである。
フィルム（１）の長さ（Ｌ）は、前記サンドイッチ（３）の長さ（Ｘ）の２倍に、厚み（Ｚ）の４倍を加えた長さ程度、幅（Ｗ）はサンドイッチ（３）の幅長さ（Ｙ）に厚み（Ｚ）の１．５倍を加えた程度である。
フィルム（１）は幅方向の中央部に、該フィルムを全長に亘って長さ方向に裂くことのできる分断可能部（２）を有している。
【００１１】
分断可能部（２）は、カットテープ（２１）によって形成されている。
カットテープ（２１）は、煙草の箱の外側を覆っているフィルム包装を解く際に実施されて公知のものであって、フィルム（１）に接着されている。カットテープの一端を引っ張ってフィルム（１）をテープ幅で裂くことができる。
カットテープ（２１）は、フィルム（１）の表側に或いは裏側の何れの面に施しても可い。
分断可能部（２）の分断開始端（２ａ）、即ち、カットテープ（２１）一端の両側にて、フィルム（１）に切込み（２２）（２２）が施されており、両切込み（２２）（２２）によって、カットテープ（２１）の端を引張り易く、且つ、フィルムを裂き易くしている。
【００１２】
フィルム（３）には、包装を解く順序を示す「１」「２」「３」の３つの数字及びフィルムの引っ張り方向を示す矢印（１３）（１４）（１５）が施されている。
数字「１」は、分断可能部（２）の分断開始端の近傍に印される。
数字「１」の近傍に、分断可能部（２）の他端側へ向く矢印（１３）が施される。
数字「２」は、外フィルム（３）の長さ方向の中央部側より少し矢印（３４）側寄り且つ、フィルムの右端寄りに印される。
数字「２」の近傍に右向きに矢印（１４）が施される。
数字「３」及び矢印（１５）は、分断可能部（２）を中心として上記数字「２」、矢印（１４）と対称位置に印される。
図３ｄに示す如く、数字「１」「２」「３」及び矢印（１３）（１４）（１５）は包装サンドイッチの正面に位置する範囲に施されている。
【００１３】
（サンドイッチの包装）
図３ａに示す如く、フィルム（１）の上に、保護カバー（４）を被せたサンドイッチ（３）を倒した状態で載せる。このとき、保護カバー（４）がフィルム（１）に接し、サンドイッチ（３）の幅中心がフィルム（１）の幅中心に揃い、サンドイッチ底部（３１）がフィルム（１）の長さ方向の中心近傍に位置する様に載せる。
図３ｂに示す如く、フィルム（１）を、該フィルム（１）の長さ方向の両端縁が揃う様にサンドイッチ（３）の底部（３１）の縁で折り畳む。
更に、図３ｃに示す如く、フィルム（１）の長手方に沿う両側縁を、サンドイッチの両端面に被さった保護カバー（４）上に折り畳んで重ね、接合手段（５）によって止めて襠部（１１）を形成する。
【００１４】
実施例の接合手段（５）は、フィルム（１）の重なり部を超音波溶着、高周波溶着、熱溶着等にて溶着（５１）したものである。
上記図３ａ乃至図３ｃの折畳み工程は、フィルム（１）がサンドイッチ（３）及び保護カバー（４）に密着して、フィルム（１）がサンドイッチ（３）に緊密に被さる様に行う。
図３ｄに示す如く、最後に包装袋（１０）の両側の襠部（１１）の袋開口（１２）側を内側に折り込んで、袋開口（１２）を、高周波溶着、熱溶着等の接合手段によって閉じて封止部（１６）を形成する。但し、フィルム（１）の分断可能部（２）の切込み（２２）（２２）間の範囲は溶着しない。
【００１５】
（サンドイッチを食するとき）
包装サンドイッチの包装を解くには、一方の手で、分断可能部（２）を中心としてサンドイッチ（３）の片方を軽く掴む様にして保持する。他方の手で分断可能部（２）の手順「１」の矢印（１３）で示されたカットテープ（２１）の端部を摘んで、カットテープの長手方向に沿わせて他端側に引っ張る（図４ａ参照）。これによって包装袋（１０）は二分される。
【００１６】
カットテープ（２１）を引っ張った手で、手順「２」の矢印（１４）で示されたフィルム（１）の端縁を摘んで外側に引っ張る。
サンドイッチ（３）の半分が露出する（図４ｂ）。サンドイッチは全体が保護カバー（４）上に載っているから、サンドイッチ（３）の露出した部分がバラけて落下することを防止できる。
包装袋（１０）の片側を引っ張った手で、サンドイッチの露出部分を保持し、他方の手で手順「３」の矢印（１５）で示されたフィルム（１）の端縁を摘んで、外側に引っ張る。
サンドイッチ（３）から包装袋（１０）が完全に取り除かれる。
【００１７】
上記の如く、本発明の包装サンドイッチは、包装袋を作ってから該包装袋にサンドイッチ（３）を入れるのではない。矩形のフィルム（１）にサンドイッチ（３）を載せ、フィルム（１）でサンドイッチ（３）を包む様に袋を形成するのである。このため、特殊形状の包装袋や、蓋付きの樹脂トレーを用いることに比べて、コストを低減できる。
【００１８】
フィルム（１）をサンドイッチ（３）に密着させる様にして包むことにより、サンドイッチ（３）を殆ど動き得る余裕のない状態に包装袋（１０）に収容できる。
サンドイッチ（３）が包装袋（１０）の中で殆ど動き得る余裕がないということは、包装袋（１０）がサンドイッチ（３）の形状を保つ保護部材の役割を果たし、包装袋（１０）内でサンドイッチ（３）が壊れることを防止できる。
実施例では、サンドイッチ（３）の背面および両側面に保護カバー（４）が被さっているため、サンドイッチの型崩れを一層効果的に防止できる。
【００１９】
保護カバー（４）は、サンドイッチの正面（４）には被さっておらず、透明な包装袋を透して、サンドイッチの具が見えるため、陳列ケースに並べた際の陳列効果を損うことはない。
又、包装袋（１０）がサンドイッチ（３）を殆ど動き得る余裕のない状態に包んでいるため、包装サンドイッチの嵩張りを最小限にでき、サンドイッチ陳列ケースの単位面積当たりの包装サンドイッチの陳列数を増やすことができる。
【００２０】
上記第１実施例の包装サンドイッチは、包装を解く手順を、数字「１」「２」「３」及び矢印（１３）（１４）（１５）で示しており、分かり易い。
【００２１】
第２実施例（図６、図６）
前記第１実施例の場合、包装サンドイッチを起こして陳列すると、分断可能部（２）は縦向きとなるが、第２実施例では、分断可能部（２）が横向きとなる違いがある。
【００２２】
（サンドイッチの構成）
第１実施例と同じ。
【００２３】
（包装袋の構成）
図５に示す如く、フィルム（３）は、長さ（Ｌ）約２６ｃｍ、幅長さ（Ｗ）１９ｃｍであり、長さ（Ｌ）はサンドイッチ（３）の幅（Ｙ）の２倍とサンドイッチの厚み（Ｚ）の２倍に３ｃｍ加えた程度、幅長さ（Ｗ）は、サンドイッチ（３）の長さ（Ｌ）に厚みの２倍〜３倍を加えた程度である。
【００２４】
フィルム（３）は、前記第１実施例と同様の分断可能部（２）を有している。
但し、分断可能部（３）は、長手方向の一方の側縁から約８ｃｍ程度の位置にあり、これはフィルム（３）の幅方向の中央ではなく、幅方向に偏った位置にある。
【００２５】
（サンドイッチの包装）
図５ａに示す如く、フィルム（１）上に、保護カバー（４）を被せたサンドイッチ（３）を倒した状態に載せる。サンドイッチ（３）は、保護カバー（４）が被さっていない正面をフィルム（１）に当て、幅中心がフィルム（１）の長さ方向の中心に位置し、長さ方向の中心が分断可能部（２）にほぼ一致する様にフィルム（１）上に載せられる。
図５ｂに示す如く、フィルム（１）を、該フィルム（１）の両端縁がサンドイッチ（３）の裏面に被さる保護カバー（４）上で重なる様に折り畳み、超音波溶着、高周波溶着、熱溶着等の溶着或いはラベルを貼る等の接合手段（５）によってフィルム（１）の端が開かない様に係止する。
図５ｃ、図５ｄに示す如く、フィルム（１）のサンドイッチ底部（３１）側の側縁を、該底部（３１）で重なる様に折り畳み、超音波溶着、高周波溶着、熱溶着等の溶着（５１）或いはラベルを貼る等の接合手段（５）で止めて包装袋（１０）を形成する。
上記図５ａ乃至図５ｄの折り畳みは、フィルム（１）がサンドイッチ（３）に密着して緊密に被さる様に行う。
図５ｃからｄに示す如く、最後に包装袋（１０）の両側の襠部（１１）の袋開口（１２）側を内側に折り込んで、袋の開口（１２）を全長に亘って超音波溶着、高周波溶着、熱溶着等にて溶着し、封止部（１６）を形成する。
【００２６】
（サンドイッチを食するとき）
包装サンドイッチの包装を解くには、図６ａに示す如く、包装サンドイッチの底側を軽く掴んで保持する。他方の手で分断可能部（２）の分断開始端（２ａ）であるカットテープ（２１）の端部を摘んで、分断可能部（２）の長手方向に沿わせて他端側に引っ張る。分断可能部（２）は包装袋（１０）から帯状に分離し、包装袋（１０）は２分される。
【００２７】
図６ｂに示す如く、サンドイッチの正面側を上向きにして、分断可能部（２）を裂いた手で、フリー状態の包装袋（１０）の開口封止側部分（１ａ）を引っ張る。
該包装袋（１０）を引っ張った手で、サンドイッチの露出部分を軽く掴んで保持し、他方の手で包装袋（１０）の残りの部分（１ｂ）を外側に引っ張る。
サンドイッチ（３）から包装袋（１０）が完全に取り除かれる。
【００２８】
（他の実施例）
図７、図８は、フィルム（１）の分断可能部（２）の他の実施例を示している。
図７は、フィルム（１）をその長手方向に裂け易い方向性フィルムであって、該フィルムの端部に、小さく平行に切込み（２２）（２２）を施して、分断開始端（２ａ）としている。
図８は、フィルム（１）に断続的な切込み（２３）を施して分断可能部となしている。
【００２９】
又、本発明の実施例に際し、フィルム（１）にサンドイッチ（３）を載せてからフィルム（１）を袋状に折り、フィルム（１）の縁部どうしを接合する際、該端部を折り重ねることなく、端部内面どうしを超音波溶着、高周波溶着、熱溶着等によって接合して包装袋（１０）を形成することができる。
例えば、第１実施例の図３ｂから次の工程に移る際、フィルム（１）の長手方向の両側縁の内面（１７）（１７）どうしを直接に超音波溶着、高周波溶着、熱溶着等で接着することができる。
【００３０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】第１実施例のフィルムの斜面図である。
【図２】保護カバーを被せたサンドイッチの斜面図である。
【図３】包装手順の説明図である。
【図４】包装を解く手順の説明図である。
【図５】第２実施例の包装手順の説明図である。
【図６】同上の包装を解く手順の説明図である。
【図７】方向性フィルムに分断可能部を施した斜面図である。
【図８】断続的な切込みによる分断可能部を有するフィルムの斜面図である。
【図９】従来の三角柱状サンドイッチの包装手順の説明図である。
【図１０】従来の樹脂トレーに収容したサンドイッチの斜面図である。
【符号の説明】
（１）    フィルム
（２）    分断可能部
（２１）    カットテープ
（３）    サンドイッチ
（４）    保護カバー
（５）    接合手段
【図１】
2004323084.tif 000003
【図２】
2004323084.tif 000004
【図３】
2004323084.tif 000005
【図４】
2004323084.tif 000006
【図５】
2004323084.tif 000007
【図６】
2004323084.tif 000008
【図７】
2004323084.tif 000009
【図８】
2004323084.tif 000010
【図９】
2004323084.tif 000011
【図１０】
2004323084.tif 000012